(57)【特許請求の範囲】
【請求項１】
本体部に３本の端子を有するトランジスタと他の電子部品とが基板上に近接して配置され、前記基板には、前記トランジスタの３本の端子を挿入する３つの孔が前記他の電子部品に対して対面する向きに形成されていて、前記基板の３つの孔に前記トランジスタの３本の前記端子を挿入してそのトランジスタを前記基板上に実装してある電子部品の実装構造において、
前記トランジスタの本体部と前記基板との間に台座が配置され、この台座には、前記基板の３つの孔に個別に挿入されているトランジスタの３本の前記端子が個別に挿通された３つの挿通孔が備わり、これら３つの挿通孔によって前記台座に具備される直線上に並んだ３つの下側開口部の並び方向が、前記３つの挿通孔によって前記台座に具備される直線上に並んだ３つの上側開口部の並び方向に対して９０度変位して位置していると共に、３つの前記下側開口部が基板の３つの前記孔に個別に連通していることを特徴とする電子部品の実装構造。
【請求項２】
本体部に２本の端子を有する第１の電子部品と第２の電子部品とが基板上に近接して配置され、前記基板には、前記第１の電子部品の２本の端子を挿入する２つの孔が前記第２の電子部品に対して対面する向きに形成されていて、前記基板の２つの孔に前記第１の電子部品の２本の前記端子を挿入してその第１の電子部品を前記基板上に実装してある電子部品の実装構造において、
前記第１の電子部品の本体部と前記基板との間に台座が配置され、この台座には、前記基板の２つの孔に個別に挿入されている第１の電子部品の２本の前記端子が個別に挿通された２つの挿通孔が備わり、これら２つの挿通孔によって前記台座に具備される２つの下側開口部の並び方向が、前記２つの挿通孔によって前記台座に具備される２つの上側開口部の並び方向に対して９０度変位して位置していると共に、２つの前記下側開口部が基板の２つの前記孔に個別に連通していることを特徴とする電子部品の実装構造。
【発明の詳細な説明】
【技術分野】
【０００１】
本発明は、第１の電子部品（例えば、トランジスタ）と第２の電子部品が基板上に近接して配置され、第１の電子部品の端子を挿入する孔が第２の電子部品に対して対面する向きに形成されていて、基板の孔に第１の電子部品の端子を挿入して前記基板上に実装してある電子部品の実装構造に関し、特に、第１の電子部品を９０度向きを変えて第２の電子部品と同じ向きにして、第１の電子部品が第２の電子部品に接触しないようにした電子部品の実装構造に関するものである。
【背景技術】
【０００２】
従来の電子部品の実装構造は、図３（ａ）に示すように、電子部品であるトランジスタ１０１の３本の端子１０２を挿入して実装する基板１０３の３つの孔１０３ａが近接して配置された他の電子部品１０４に対面する向きに設けられていた。このために、図３（ｂ）に示すトランジスタ１０１の３本の端子１０２が他の電子部品１０４に対面する向きになるために、トランジスタ１０１が他の電子部品１０４側に向けて倒れ易くて接触する場合があるという問題があった。
【０００３】
第１の従来技術を図４に示す。この従来の電子部品は、図４に示すように、ＬＥＤ２０４のリード線２０４ａの一部に扁平部２０４ｂを形成し、扁平部２０４ｂを２回直角に折り曲げて保持部２０４ｄと挿入部２０４ｅとを形成し、リード線２０４ａを回路基板２０３の取付孔２０３ｂに挿入し、保持部２０４ｄを基板２０３の上面に当接させ、挿入部２０４ｅを取付孔２０３ｂ内に圧入する。保持部２０４ｄが基板２０３に面接触するので左右の倒れの発生を防止でき、折り曲げ位置を調整することでＬＥＤ２０４の高さを容易に調整できる。（例えば、特許文献１参照）。
【０００４】
ところが、これにおいては、ＬＥＤ２０４のリード線２０４ａが細長くて倒れやすく、このＬＥＤ２０４がタクトスイッチ２２２に接触してしまう虞があるという問題があった。
【特許文献１】特開平１０−３０８５７１号公報
【発明の開示】
【発明が解決しようとする課題】
【０００５】
本発明は、上記従来の問題に鑑みてなされたものであって、第１の電子部品（例えば、トランジスタ）を第２の電子部品と同じ向きに９０度向きを変えて実装することができて、第１の電子部品が第２の電子部品側に倒れることを防げ、第１の電子部品が第２の電子部品に接触することを回避することができ、しかも、基板のパターンを変更することなく第１の電子部品を第２の電子部品と同じ向きに９０度向きを変えて実装することができる電子部品の実装構造を提供することを目的としている。
【課題を解決するための手段】
【０００６】
本発明は、上記課題を解決するために提案されたものであって、請求項１に記載の発明は、本体部に３本の端子を有するトランジスタと他の電子部品とが基板上に近接して配置され、前記基板には、前記トランジスタの３本の端子を挿入する３つの孔が前記他の電子部品に対して対面する向きに形成されていて、前記基板の３つの孔に前記トランジスタの３本の前記端子を挿入してそのトランジスタを前記基板上に実装してある電子部品の実装構造において、前記トランジスタの本体部と前記基板との間に台座が配置され、この台座には、前記基板の３つの孔に個別に挿入されているトランジスタの３本の前記端子が個別に挿通された３つの挿通孔が備わり、これら３つの挿通孔によって前記台座に具備される直線上に並んだ３つの下側開口部の並び方向が、前記３つの挿通孔によって前記台座に具備される直線上に並んだ３つの上側開口部の並び方向に対して９０度変位して位置していると共に、３つの前記下側開口部が基板の３つの前記孔に個別に連通していることを特徴としている。
【０００７】
請求項２に記載の発明は、本体部に２本の端子を有する第１の電子部品と第２の電子部品とが基板上に近接して配置され、前記基板には、前記第１の電子部品の２本の端子を挿入する２つの孔が前記第２の電子部品に対して対面する向きに形成されていて、前記基板の２つの孔に前記第１の電子部品の２本の前記端子を挿入してその第１の電子部品を前記基板上に実装してある電子部品の実装構造において、前記第１の電子部品の本体部と前記基板との間に台座が配置され、この台座には、前記基板の２つの孔に個別に挿入されている第１の電子部品の２本の前記端子が個別に挿通された２つの挿通孔が備わり、これら２つの挿通孔によって前記台座に具備される２つの下側開口部の並び方向が、前記２つの挿通孔によって前記台座に具備される２つの上側開口部の並び方向に対して９０度変位して位置していると共に、２つの前記下側開口部が基板の２つの前記孔に個別に連通していることを特徴としている。
【発明の効果】
【０００８】
請求項１に記載の発明によれば、トランジスタが９０度回転した状態になって、このトランジスタが近接する他の電子部品側に向けて倒れることを防げ、他の電子部品に接触することを回避することができる。また、台座を使用することによって、基板のパターンを変更する必要がない。
【０００９】
請求項２に記載の発明によれば、第１の電子部品が９０度回転した状態になって、この第１の電子部品が近接する第２の電子部品側に向けて倒れることを防げ、第２の電子部品に接触することを回避することができる。また、台座を使用することによって、基板のパターンを変更する必要がない。
【発明を実施するための最良の形態】
【００１０】
以下、本発明に係る電子部品の実施構造の実施の形態について、図を参照しつつ説明する。
【００１１】
図１は本発明の第１実施形態の電子部品の実装構造を示し、（ａ）はその組付け途中の状態を示す斜視図、（ｂ）はそのトランジスタの斜視図、（ｃ）はその組付け完了時の斜視図である。
【００１２】
この第１実施形態の電子部品の実装構造は、図１（ａ）（ｂ）（ｃ）に示すように、トランジスタ１と他の電子部品２が基板３に近接して配置されるようになっており、基板３にはトランジスタ１の３本の端子１ａ、１ｂ、１ｃが挿入される３つの孔３ａが他の電子部品２に対面する向きに形成されている。基板３とトランジスタ１の本体部との間には台座４が配置され、この台座４には直線状に並んだ３つの上側開口部４ａ、４ｂ、４ｃが設けられていると共に直線状に並んだ３つの下側開口部４ｄ、４ｅ、４ｆが設けられていて、３つの下側開口部４ｄ、４ｅ、４ｆの並び方向が、３つの上側開口部４ａ、４ｂ、４ｃの並び方向に対して９０度変位して位置している。また、中央部の上側開口部４ｂの垂下位置に中央部の下側開口部４ｅが設けられている。
【００１３】
上側開口部４ａ、４ｂ、４ｃと下側開口部４ｄ、４ｅ、４ｆがトランジスタ１の端子１ａ、１ｂ、１ｃを挿入する挿通孔４ｇ、４ｈ、４ｉで連通されている。台座４の３つの下側開口部４ｄ、４ｅ、４ｆと基板３の３つの孔３ａが連通するように基板３上に台座４が配置され、台座４の各上側開口部４ａ、４ｂ、４ｃからトランジスタ１の各端子１ａ、１ｂ、１ｃが挿入され、台座４の各挿通孔４ｇ、４ｈ、４ｉを経て各下側開口部４ｄ、４ｅ、４ｆから基板３の各孔３ａにトランジスタ１の各端子１ａ、１ｂ、１ｃが挿入される。このことによって、トランジスタ１が他の電子部品２と同じ向きになるように９０度向きを変えて基板３上に実装されるようになっている。
【００１４】
従って、この第１実施形態によれば、トランジスタ１が９０度回転した状態になって、このトランジスタ１が近接する他の電子部品２側に向けて倒れることを防げ、他の電子部品２にトランジスタ１が接触することを回避することができる。また、台座４を使用することによって、基板のパターンを変更する必要がない。
【００１５】
図２は第２実施形態の電子部品の実装構造における台座の斜視図である。
【００１６】
この第２実施形態の電子部品の実装構造では、台座４Ａに２つの上側開口部４ｊ、４ｋが設けられると共に２つの下側開口部４ｍ、４ｎが設けられ、２つの下側開口部４ｍ、４ｎの並び方向が、２つの上側開口部４ｊ、４ｋの並び方向に対して９０度変位して位置している。各上側開口部４ｊ、４ｋと下側開口部４ｍ、４ｎ間は挿通孔４ｐ、４ｑで連通されている。上記第１実施形態と同様に第１の電子部品（図示略）と第２の電子部品（図示略）が基板上に近接して配置され、基板における第２の電子部品に対して対面する方向に設けられた孔に、台座４Ａ上に配置された第１の電子部品が９０度向きを変えて基板上に配置されることになる。
【００１７】
従って、第１の電子部品が９０度回転した状態になって、第１の電子部品が近接する第２の電子部品側に向けて倒れることを防げ、第１の電子部品が第２の電子部品に接触することを回避することができる。また、台座４Ａを使用することによって、基板のパターンを変更する必要がない。
【図面の簡単な説明】
【００１８】
【図１】本発明の第１実施形態の電子部品の実装構造を示し、（ａ）はその組付け途中の状態を示す斜視図、（ｂ）はそのトランジスタの斜視図、（ｃ）はその組付け完了時の斜視図である。
【図２】第２実施形態の電子部品の実装構造における台座の斜視図である。
【図３】従来の電子部品の実装構造を示し、（ａ）はその平面図、（ｂ）はそのトランジスタの斜視図である。
【図４】従来の電子部品の側面断面図である。
【符号の説明】
【００１９】
１  トランジスタ
１ａ  端子
１ｂ  端子
１ｃ  端子
２  他の電子部品
３  基板
３ａ  孔
４  台座
４Ａ  台座
４ａ  上側開口部
４ｂ  上側開口部
４ｃ  上側開口部
４ｄ  下側開口部
４ｅ  下側開口部
４ｆ  下側開口部
４ｇ  挿通孔
４ｈ  挿通孔
４ｉ  挿通孔
４ｊ  上側開口部
４ｋ  上側開口部
４ｍ  下側開口部
４ｎ  下側開口部
４ｐ  挿通孔
４ｑ  挿通孔
【図１】
0004172485.tif 000002
【図３】
0004172485.tif 000003
【図２】
0004172485.tif 000004
【図４】
0004172485.tif 000005